(57)【要約】  多数の係合アームと、針の先端部をブロックしまた針に固定するための付勢力とを有する保護用針クリップが記述される。代表的な針クリップは、針が開口部の隣接に移動するとき、半径方向内向き状態から半径方向外向き状態へ移動する開口部を有する係合アームを有するクリップを含む。針が自身を貫いて突出することを可能にするための、開口部を有するアームをそれぞれ備える、追加的なアームが組み込まれると良い。針が、第一係合アームの第一開口部の隣接に移動すると、残りの係合アームの開口部は、針クリップを針に固定するよう針の側部を押し込む。
2007507288.tif 000002
【特許請求の範囲】
【請求項１】
保護用針クリップであって；
第一係合アームと；
前記第一係合アームから、第一の角度で延びている接続基部と；
前記接続基部から、第二の角度で延びている第二係合アームと；
前記第二係合アームから、第三の角度で延びている接続頂部と；
前記接続頂部から、第四の角度で延びている第三係合アームと、を具備しているものにおいて；
前記第一と、前記第二と、前記第三の係合アームの各々は、開口部を具備し、また前記第三係合アームの少なくとも一部は、前記第一係合アームと前記第二係合アームとの中間に配置される；
保護用針クリップ。
【請求項２】
前記第三係合アームと接触するための、前記第一係合アームと前記第二係合アームとの中間に配置されるアンカ構造をさらに具備している、請求項１に記載の保護用針クリップ。
【請求項３】
前記第一係合アームから、第五の角度で延びている指部をさらに具備している、請求項１に記載の保護用針クリップ。
【請求項４】
針が、前記第一と、前記第二と、前記第三係合アームの前記開口部を通過するとき、前記第一と、前記第二と、前記第三と、前記第四の角度は、それぞれほぼ同一のプラスマイナス３度の範囲にある、請求項１に記載の保護用針クリップ。
【請求項５】
前記接続基部は、前記接続基部のテーパのない部分よりも小さい寸法を有するテーパのある部分を含む、請求項１に記載の保護用針クリップ。
【請求項６】
前記アンカ部分は、前記接続基部上の切欠きから形成される屈曲を具備する、請求項２に記載の保護用針クリップ。
【請求項７】
前記接続頂部は、前記接続頂部の一部を屈曲することにより形成されるコイル部分を具備する、請求項１に記載の保護用針クリップ。
【請求項８】
前記第二と前記第三係合アームの各々は、針軸を有する針に対し軸方向に移動する部分を具備し、また前記第一係合アームは、前記針軸に対し半径方向に移動する部分を具備する、請求項１に記載の保護用針クリップ。
【請求項９】
前記開口部の各々は、同一の内径を有する、請求項１に記載の保護用針クリップ。
【請求項１０】
接続基部から延びている、開口部を備える係合アームを具備している保護用針クリップであって、前記係合アームと前記接続基部は、準備完了状態と作動状態とを含んでいて、前記準備完了状態において、針先端部を具備する針が、前記係合アームの前記開口部を通過し、また前記接続基部と前記少なくとも一部の係合アームが、前記針に対し半径方向内向きに付勢していて、前記作動状態において、前記針先端部が前記開口部の隣接に移動し、また前記接続基部と前記少なくとも一部の係合アームが、前記針から離れて半径方向外向きに移動する、
保護用針クリップ。
【請求項１１】
第二係合アームと第三係合アームをさらに具備していて、前記第二と前記第三の係合アームの各々は開口部を備え、また前記針クリップが準備完了状態にあるとき、前記針は前記第二と前記第三の係合アームの前記開口部を通過する、請求項１０に記載の保護用針クリップ。
【請求項１２】
第二係合アームと第三係合アームをさらに具備していて、前記第二と前記第三の係合アームの各々は開口部を備え、また前記針クリップが収縮状態にあるとき、前記針は前記第二と前記第三の係合アームの前記開口部を通過する、請求項１０に記載の保護用針クリップ。
【請求項１３】
前記接続基部から延びている第二係合アームと、前記第二係合アームから延びている接続頂部と、前記接続頂部から延びている第三係合アームとをさらに具備している、請求項１０に記載の保護用針クリップ。
【請求項１４】
前記第二と前記第三の係合アームの各々は開口部を備え、また前記保護用針クリップが準備完了状態にあるとき、前記針は三つの開口部の全てを通過する、請求項１３に記載の保護用針クリップ。
【請求項１５】
前記保護用針クリップが収縮状態にあるとき、前記針は前記第二と前記第三の係合アームの開口部を通って延びる、請求項１４に記載の保護用針クリップ。
【請求項１６】
前記保護用針クリップは、前記針の外表面を押し込んでいる前記第二と前記第三の係合アームの開口部の各々の少なくとも一部により、前記針に堅固に固定される、請求項１５に記載の保護用針クリップ。
【請求項１７】
前記針クリップが収縮状態にあるとき、前記第二と前記第三の係合アームの前記開口部は楕円形の射影を有する、請求項１５に記載の保護用針クリップ。
【請求項１８】
皮下注射針の針先端部をシールドするための方法であって；
前記針の基端位置から前記針の末端位置へ移動する保護用針クリップであって、
接続基部から延びている第一係合アームと、前記接続基部から延びている第二係合アームと、前記第二係合アームから延びている接続頂部と、前記接続頂部から延びている第三係合アームとを具備しているクリップにおいて、前記第一と、前記第二と、前記第三の係合アームの各々は開口部を備え、また前記皮下注射針は前記三つの開口部を通って延びる保護用針クリップに対し、前記皮下注射針を移動する段階と；
前記第一係合アームの前記開口部の基端部に、前記皮下注射針の前記針先端部を移動する段階と；
前記第一係合アームの少なくとも一部を、前記針から離れて半径方向外向きに移動させる段階と、を含んでいる；
シールド方法。
【請求項１９】
前記針が前記三つの開口部を通って延びるとき、前記第二と前記第三の係合アームは軸方向に圧縮された形状にある、請求項１８に記載のシールド方法。
【請求項２０】
前記皮下注射針の前記針先端部が、前記第一係合アームの前記開口部の基端部に移動するとき、前記第二と前記第三の係合アームは軸方向に拡張する、請求項１９に記載のシールド方法。
【請求項２１】
前記針クリップは準備完了状態の段階を含み、また前記針クリップが準備完了状態にあるとき、前記三つの係合アームの少なくとも二つは互いに平行である、請求項１８に記載のシールド方法。
【請求項２２】
前記保護用針クリップはさらに、前記接続基部上に位置決めされるアンカ構造を具備する、請求項１８に記載のシールド方法。
【請求項２３】
前記アンカ構造は、切欠きと、前記切欠き内の屈曲とを具備する、請求項２２に記載のシールド方法。
【請求項２４】
前記接続頂部は、コイル部分を具備する、請求項１８に記載のシールド方法。
【請求項２５】
カテーテル用針組立て品であって；
内部空洞を画定する内表面と、開放状態の基端部と、末端から延びているカテーテル用チューブを有する末端部とを具備していて、前記カテーテル用チューブは内腔を備えている、カテーテル用ハブと；
開放状態の基端部と、末端から延びている針先端部を備える針を有する末端部とを具備している針ハブと；
前記針が前記カテーテル用チューブの前記内腔を通って延びる準備完了状態において、前記カテーテル用チューブの末端部を超えて延びる前記針先端部と；前記針ハブの外表面と機械的係合にある前記カテーテル用ハブの内表面の一部と；
第一係合アームと、第二係合アームと、第三係合アームとを具備し、各アームは開口部と前記三つの開口部の各々を通って延びている前記針とを有している、前記カテーテル用ハブの前記内部空洞の内部に位置決めされているスプリングクリップと；前記第二係合アームに接触し、また前記第二係合アームを付勢するための前記スプリングクリップ上の隆起部と、を具備している；
カテーテル用針組立て品。
【請求項２６】
前記カテーテル用ハブの内部空洞内の隆起は、前記スプリングクリップの一部と接触状態にある、請求項２５に記載のカテーテル用針組立て品。
【請求項２７】
前記カテーテル用ハブの内部空洞にさらにリングを具備している、請求項２５に記載のカテーテル用針組立て品。
【請求項２８】
前記スプリングクリップは、前記カテーテル用ハブの前記内部空洞の一部と接触するようになっている、柔軟な保持ウィングをさらに具備する、請求項２５に記載のカテーテル用針組立て品。
【請求項２９】
前記針先端部が、前記第一係合アームの前記開口部の隣接に移動するとき、前記第一係合アームは、前記針に対し半径方向外向きに移動する、請求項２５に記載のカテーテル用針組立て品。
【請求項３０】
前記スプリングクリップはさらに、コイル部分を具備する、請求項２５に記載のカテーテル用針組立て品。
【発明の詳細な説明】
【技術分野】
【０００１】
針先端部をシールドするための半径方向に作動するスプリングクリップ部分を具備している、保護用針クリップに関する具体的な記述により、クリップと偶発的に接触しないよう、皮下注射針の針先端部をシールドするための保護用針クリップが、この中で一般的に検討される。
【背景技術】
【０００２】
保護用針クリップは、皮下注射針と一緒に使用するためのものとして知られている。大まかに言って、代表的な先行技術の保護用針クリップは、皮下注射針の全体を覆って取り付けられる。先行技術の保護用針クリップは通常は、本体と、固有に弾力性がある、あるいはスプリングなど外部の弾性部材により弾力的な状態にされる、少なくとも一つの弾性部分とを有する。
【０００３】
注射後に、皮下注射針は、体から引き抜かれまた針クリップに対して移動させられ、その結果針クリップは、針の基端位置から針先端部が設置される針の末端位置へ移動する。針クリップが針先端部付近の末端部に到達するとき、少なくとも一つの弾性部分が、針先端部をブロックするよう針先端部の全体を半径方向内向きに移動させる。他の構造も、弾性部分を何れか作動するよう、針クリップを設置するよう、針クリップを針に保持するよう、等々に先行技術の針クリップと共に使用されるが、それらのことは簡単にするため記述されない。
【０００４】
先行技術の針クリップは、医療施設作業員のための実行可能な選択肢を提供するが、改良された及び/又は選択的な針クリップのための継続的必要性がある。したがって、多数の係合アームと、針先端部を自身との偶発的な接触からシールドするよう、皮下注射針に針クリップを固定する付勢力とを有する、改良された選択的な針クリップが、この中で開示される。針クリップを使用しまた作製するための方法も開示される。
【発明の開示】
【０００５】
本発明は保護用針クリップを提供する。具体的には、本発明は、第一係合アームと、第一係合アームから第一の角度で延びている接続基部と、接続基部から第二の角度で延びている第二係合アームと、第二係合アームから第三の角度で延びている接続頂部と、接続頂部から第四の角度で延びている第三係合アームと、を具備していて、第一と、第二と、第三の係合アームは開口部を備え、そして第三係合アームの少なくとも一部は、第一係合アームと第二係合アームとの中間に配置される、保護用針クリップを提供することにより実施される。
【０００６】
あるいは、本発明は、接続基部から延びている開口部を備える係合アームを具備している保護用針クリップであって、係合アームと接続基部は、針先端部を備える針が、係合アームの開口部を通過し、また接続基部と少なくとも一部の係合アームが、前記針に対し半径方向内向きに付勢する状態である準備完了状態と、針先端部が開口部の隣接に移動し、また接続基部と少なくとも一部の係合アームが、針から離れて半径方向外向きに移動する状態である作動状態とを含んでいる、保護用針クリップを提供することにより実施される。
【０００７】
関連して、針の基端位置から針の末端位置へ移動する保護用針クリップであって、接続基部から延びている第一係合アームと、前記接続基部から延びている第二係合アームと、第二係合アームから延びている接続頂部と、接続頂部から延びている第三係合アームとを具備しているクリップにおいて、第一と、第二と、第三の係合アームの各々は開口部を具備し、また皮下注射針は三つの開口部を通って延びる保護用針クリップに対し、皮下注射針を移動する段階と；皮下注射針の針先端部を、第一係合アームの開口部の隣接に移動する段階と；第一係合アームの少なくとも一部を、針から離れて半径方向外向きに移動することを可能にする段階と；を含んでいる皮下注射針の針先端部をシールドするための方法が開示される。
【０００８】
本発明の、これらと他の特徴と、態様と、利点は、以下の詳細な説明と、添付の請求項と図面を参照し考慮されるときさらに十分に理解されるであろう。
【発明を実施するための最良の形態】
【０００９】
添付の図面と一緒に以下に記述される詳細な説明は、本発明の態様に従って提供された現在の好適な保護用針クリップの実施態様の説明として意図されているものであって、本発明が構築されあるいは利用される実施形態の全てを表わすことを意図しているものではない。説明は、示された実施態様と一緒に本発明の保護用針クリップを構築しまた使用するための特徴と段階を記述する。しかしながら、同一あるいは等価な機能と構造が、本発明の精神と要旨の範囲に網羅されるよう意図される別の実施態様により達成されていても良いことが理解される。同様に、この中の他の場所で示されるような、類似の要素番号は、類似あるいは同一の要素あるいは特徴を示すことを意味する。
【００１０】
本発明の態様に従って提供された保護用針クリップの準概略的な斜視図が図１に示され、その全体が付番１０で示される。一つの代表的な実施態様において、保護用針クリップ１０（ここでは“針クリップ”あるいは“安全クリップ”）は、ほぼ円形の開口部２０aと、２０ｂと、２０ｃとを具備している各アームを備える三つの針係合アーム１２と、１４と、１６とから成る一体構造の針クリップである。針クリップ１０の右側から左側へ見ると、係合アームは、第一係合アーム１２と、第一係合アーム１２から直接的に生ずる第二係合アーム１６と、第二係合アームから直接的に生ずる第三係合アーム１４として、即ち、付番１２と、１６と、１４として参照される。しかしながら、以下の開示のために、数列１２と、１４と、１６とが、等価と考えられている後者の数列１２と、１６と、１４とを付番された第一アーム１２と、第二アーム１４と、第三アーム１６とを、指定するのに使用される。第一針係合アーム１２は、自身から斜めに延びている指部１８と自身に配置された第一開口部２０aとを具備している末端の最大のアームである。第一係合アーム１２は、針先端部を偶発的にアームと接触しないようにシールドするよう設定され、それはさらに後述される。
【００１１】
第三係合アーム１６は、第一係合アーム１２から直接的に延び、またアンカ構造２２がその中間に配置される。一つの代表的な実施態様において、アンカ構造２２は、ほぼ平面の接続基部２６から突出する一つ以上のタブ２４を具備する。タブ２４は、接続基部２６に材料を接着する、リベット留めする、あるいは溶接することにより別個に形成される。一つ以上のタブ２４は、接続基部２６の一つ以上の部分を切断する、切欠きを入れる、あるいはスタンプ加工して、また接続基部のほぼ平坦な表面から突出要素を創生するよう一つ以上の切欠き部分を丸めることにより作製されるのがより好ましい。一つの代表的な実施態様において、アンカ構造２２は第一アーム１２と第三アーム１６との中間に位置決めされ、また接続基部２６の末端の基部２８と隣接の基部３０との範囲を決める。一つの代表的な実施態様において、末端の基部２８は、接続基部２６の残存部分から僅かな角度であるいは傾斜で延びている。(図２)
【００１２】
第二係合アーム１４は、第三係合アーム１６から接続頂部３２を経て延びる。第二係合アーム１４は、第一係合アーム１２と第三係合アーム１６との中間に位置決めされる。
【００１３】
一つの代表的な実施態様において、針クリップ１０は、ステンレス鋼製シートなど薄い平坦なシートから、針クリップと開口部２０aと、２０ｂと、２０ｃとの外形をスタンプ加工し、次に第一折り曲げ３４と、第二折り曲げ３６と、第三折り曲げ３８と、第四折り曲げ４０と、第五折り曲げ４２と、第六折り曲げ４４とに沿って、スタンプ加工された材料を折り曲げることにより作製される。折り曲げの順序は、開示された実施態様では重要ではなく、また針クリップ１０を製造するのに関与する製造上の必要条件と装置とに従属して変更できる。針クリップ１０の大きさあるいは寸法も、その最終使用に従属して変更できる。例えば、針クリップ１０は、カテーテル用ハブの内部のクリップを、真直ぐな針用シャフトを有する標準的な皮下注射針に、あるいはスプリング式弾力構造を有する皮下注射針に、あるいはHuber針に、あるいは安全なスピネル針に、あるいは針先端部が保護されるよう所望されるいずれかの針に、配置することによりカテーテル用組立て品内で使用される。
【００１４】
図２を参照して、図１の安全クリップの準概略的な側面図が、作動状態（図４）と同一であるアームに予め針を取付けた形態で示される。予め針を取り付けた形態において、接続頂部３２は第一平坦表面４６の範囲を定める。第二の針係合アーム１４と第三の針係合アーム１６の各々は、第一平坦表面４６から斜めに延びる。一つの代表的な実施態様において、第二の針係合アーム１４は、第二平面４８から角度−Θ１（負）で延び、また第三の針係合アーム１６は、第三平面５０から角度Θ２（正）で延びていて、そしてこの場合には第二平面と第三平面の両方とも第一平坦表面４６に垂直である。選択的で代表的な実施態様において、第二係合アーム１４は、角度Θ１（正）を保有でき、また第三係合アーム１６は、角度−Θ２（負）を保有できる。換言すれば、第二アーム１４は、角度±Θ１を保有でき、また第三アーム１６は、角度±Θ２を保有できて、そしてこの場合には、もし全体の形態が、針先端部をシールドするようにも、また針クリップ１０を針に堅固に固定するようにもなっているならば、角度のいずれかの組合せが受容可能であり、それはさらに後述される。接続基部２６は、第四平面５２から角度Θ３で位置決めされ、また第一係合アーム１２は、第二平面４８と第三平面５０とにほぼ平行である、第五平面５４から角度Θ４で位置決めされる。
【００１５】
一つの代表的な実施態様の作動状態において、第二アーム１４の第二開口部２０ｂと交差する仮想線５６と、第三アーム１６の第三開放部２０ｃと交差する仮想線５８は、針クリップが準備完了状態にあるとき互いにほぼ一致するようになっているのとは対照的に
互いに交差していて、それはさらに後述される。同様に、第一アーム１２の第一開口部と交差している仮想線６０は、他の仮想線５６と５８と一致するようになっているよりもむしろ他の仮想線と交差する。予め針を取付けられた形態と作動状態（図４）とにあるとき、係合アーム１２と、１４と、１６は斜めに位置決めされるので、開口部２０aと、２０ｂと、２０ｃの各々は、垂直面４８と、５０と、５４とに垂直な面から見られたとき楕円形の射影を具備する。したがって、開口部２０aと、２０ｂと、２０ｃの各々は、角度Θ１と、Θ２と、Θ４が約０度であるときほぼ円形の射影を有するが、角度Θ１と、Θ２と、Θ４が、約±３度よりも大きいなど、ゼロから数度であるとき、開口部はほぼ楕円形の射影を有する。
【００１６】
図３を参照して、図２の針クリップ１０の準概略的な側面図が、芯を取除かれていない針先端部（即ち、Huber針先端部など）あるいは芯を取除かれている針先端部を含む、針先端部６４を具備している皮下注射針６２の全体を搭載あるいは準備完了状態において示されている。搭載状態において、第二係合アーム１４は、アンカ構造２２と接触した状態で設置される。一つの代表的な実施態様において、これは、第二係合アーム１４に力を、また接続基部２６に力を加えることにより、第二係合アーム１４の先端部６６がアンカ構造２２の全体に、またアンカ構造の作動表面６８と接触する関係になるまで同一部分を圧縮して達成される。針クリップ１０は次に、針６２を開口部２０aと、２０ｂと、２０ｃとを貫いて挿入することにより、第一の針係合アーム１２を付勢状態にし、その結果残存するアーム１４と、１６と、針クリップとを次に付勢状態に保持することが互いにほぼ同時に起る、準備完了状態に維持される。
【００１７】
一つの代表的な実施態様において、針クリップ１０が準備完了状態にあるとき、各種の角度Θ１と、Θ２と、Θ３と、Θ４は約０度である。しかしながら、当業者により容易に明らかになるように、角度は、係合アーム１２と、１４と、１６の開口部２０aと、２０ｂと、２０ｃと、針６２の外径との間の相対寸法を変更することにより数度だけ変更できる。例えば、もし開口部２０aと、２０ｂと、２０ｃとが、針６２の外径よりもそれぞれ大きいならば、そのとき開口部のより大きな相対寸法は、針全体を針により物理的に妨害されないようにする一方、開口部を僅かに楕円状に射影することを可能にする。したがって、この僅かな楕円状の射影は、準備完了状態にあるとき角度Θ１と、Θ２と、Θ３と、Θ４がプラス/マイナス数度である状態を可能にする。
【００１８】
実際、一つの代表的な実施態様において、開口部２０aと、２０ｂと、２０ｃとは、針全体が準備完了状態にあるとき、最初はほぼ楕円形状を、また針全体が作動状態（図４）にあるとき、より大きな楕円形状を有する。この形状下で、角度Θ１と、Θ２と、Θ３と、Θ４の全ては、針全体を準備完了状態においたとき整数値を有する。あるいは、開口部２０aと、２０ｂと、２０ｃはほぼ円形形状を有し、また作動状態にあるとき楕円形状を有する。この形状下で、角度Θ１と、Θ２と、Θ３と、Θ４は、準備完了状態にあるとき約０度であり、また係合アーム１２と、１４と、１６はほぼ垂直である。当業者により容易に明らかになるように、いずれかの形状下で、開口部２０aと、２０ｂと、２０ｃは、針６２の外径よりも十分大きく、その結果針先端部６４を、針先端部が第一係合アーム１２を超えて延びる末端位置から針先端部が第一係合アーム１２の隣に移動する基端位置へ移動することを可能にする。しかしながら、開口部２０aと、２０ｂと、２０ｃは、針クリップが作動状態にあるとき、針６２の外表面に接触して摩擦接合を提供するように大きさを制限される。
【００１９】
図４を参照して、針先端部６４をシールドするための作動状態の針クリップの準概略的な側面図が示される。準備完了状態(図３)から作動状態への針クリップ１０の移行は、針６２が、針先端部６４が第一係合アーム１２を超えて延びる末端の位置から（図３）針先端部６４が第一係合アーム１２の隣に移動する基端位置へ移動するとき起る。針６２がこれら二つの位置の間を移動すると、針クリップ１０にかかる付勢力は解放され、また第一係合アーム１２の少なくとも一部は針軸から離れて半径方向外向きに移動する。一つの代表的な実施態様において、第一係合アーム１２の半径方向外向きの移動は、針先端部６４に対し半径方向に移動しまた針先端部に接触する指部１８により範囲を定められる。選択的な実施態様において、第一係合アーム１２の半径方向の移動は、角度Θ３に関連しているとして前述される、接続基部２６の最初の角度状態により範囲を定められる。あるいはさらに、第一係合アーム１２は、作動状態において、指部１８が針先端部６４から離間されたままにあり、また指部１８と針先端部との間の隙間７０が図示されるよりも大きいような長さあるいは高さを有すると良い。もし指部１８が針先端部６４の一部と接触するならば、第三係合アーム１６と接続基部２６との間の角度状態により範囲を定められる角度は、Θ３とは異なるΘ´３であると良い（図２）。
【００２０】
同一の針先端部が、末端位置から第一係合アーム１２の直ぐ隣の基端位置へ移動する際は、針クリップ１０は軸方向に拡張する。一つの代表的な実施態様において、第二係合アーム１４は、第二アーム先端部６６で約Ｙ2nd＊TanΘ´１の距離だけ軸方向に拡張する。ここでＹ2ndは、接続頂部３２とのおおよその交差地点から第二アーム１４の先端部６６のおおよその地点まで測定された第二アーム１４の長さである。同様に、第三係合アーム１６は、第三アーム先端部７４で約Ｙ3rd＊TanΘ´２距離だけ軸方向に拡張する。ここでＹ3rdは、接続頂部３２とのおおよその交差地点から接続基部２６とのおおよその交差地点まで測定された第三アーム１６の長さである。さらに後述されるように、角度Θ´１とΘ´２は、係合アーム１４と、１６が付勢状態のままであるためΘ１と、Θ２とそれぞれ異なって良い。このことは、作動状態にあるときスプリングクリップが針６２上にグリップを維持することを可能にする。容易に明らかなように、軸方向の拡張は、角度方位と無関係に絶対項で記載される。
【００２１】
さらに図４を参照して、前述のように、針クリップ１０が拡張しまた第二と第三の係合アーム１４と、１６が移動するとき、第二と第三の係合アーム１４と、１６の開口部２０ｂと、２０ｃは、ほぼ円形の断面からほぼ楕円形の断面まで射影する。あるいは、開口部２０ｂと、２０ｃは、出発角度に従属してより小さな楕円形の断面から比較的大きな楕円形の断面まで射影できる。準備完了状態と作動状態との間の移行の際、開口部２０ｂと２０ｃの各々の上部と下部は、針６２の外表面に接触し、またΘ´１と、Θ１との差と；Θ´２と、Θ２との差と；選定される具体的な材料と使用される厚みにより影響される針クリップ１０の弾力と、により画定される付勢あるいは負荷に対応する力により外表面を押し込む。一つの代表的な実施態様において、開口部２０ｂと、２０ｃにより針の外表面に作用される力の量は、スプリングクリップ１０が針に堅固に固定されたままであり、また第一係合アーム１２に対する針先端部６４によるさらなる隣接への移動が制限されるような量である。この制限力は、針クリップ１０に対し針を引き抜くよう針６２にかかる垂直収縮力に耐えるに十分であるのが好ましい。代表的な実施態様において、この制限力は、異種材料を使用する、あるいはより厚い材料を選定する、あるいは追加的な付勢手段を組み込むなど、比較的強いスプリングクリップを提供することにより増大でき、それはさらに後述される。針クリップ１０に対し針にかかる目的のある収縮力はしかしながら、針外表面と、開口部２０ｂと２０ｃとの間の摩擦をさらに克服でき、そして針クリップ１０を針６２から分離させる。
【００２２】
図５を参照して、接続頂部３２上に形成されるコイル部分を具備している別の針クリップ１０´が示される。組み込まれたとき、コイル部分７６は第二と第三の係合アーム１４，１６にかかる付勢力を増大し、開口部２０ｂと２０ｃの上部と下部と、針６２の外表面との間の押し込み力を増大する。コイル部分７６に選択的にあるいは追加的に、針先端部６４付近の針に、切欠きあるいはスリットが、第二係合アーム１４の開口部２０ｂの端部と相互作用するよう組み込まれると良い。組み込まれたとき、針６２の切欠きあるいはスリットはさらに、針クリップ１０が針から離れることを制限しあるいは阻止できる。
【００２３】
図６は、本発明の態様に従って提供されたカテーテル用針組立て品の、準概略的な断面側面図である。一つの代表的な実施態様において、カテーテル用針組立て品７８は、針ハブ８０の末端部８６から延びている針先端部８４を有する針８２を備えている針ハブ８０を具備する。隣接する端部の開口部８８は、針の内腔を経て流体を注入し及び/又は収集するために提供される。
【００２４】
カテーテル用ハブの末端部９４から延びている柔軟なカテーテル用チューブ９２を具備しているカテーテル用ハブ９０は、針ハブ８０の末端部８６に機械的に連結され示される。一つの代表的な実施態様において、カテーテル用ハブ９０の隣接する端部９８の内表面９６は、針ハブの末端部８６の外表面１００と摩擦状態ではめ込まれる。肩部あるいは切欠き部１０２が、カテーテル用ハブ９０が針ハブ８０の外表面全体に拡がる範囲を区切るよう針ハブの外表面１００に組み込まれる。
【００２５】
カテーテル用ハブ９０の内部空洞１０６内に延びている内表面９６上の隆起１０４が、内部空洞１０６の内部に位置決めされたスプリングクリップ１０８を操作するために提供される。隆起１０４は、カテーテル用ハブあるいは連続するリングの内表面に沿って形成される二つ以上の隆起を具備する。隆起１０４は、スプリングクリップの移動を制御するよう、スプリングクリップ１０８上の一つ以上の保持ウィング１１０と相互作用することによりスプリングクリップ１０８を操作する。当業者には容易に明らかなように、針ハブ８０が挿入に続いてカテーテル用ハブ９０から離れるとき、このことはさらに後述されるが、隆起１０４は、カテーテル用ハブ９０を用いてスプリングクリップ１０８を保持するよう一つ以上の保持ウィング１１０と接触し、またスプリングクリップが針８２と針ハブ８０とに対し移動することを可能にする。スプリングクリップ１０８は、隆起１０４により保持され、また、針先端部８４がスプリングクリップの第一係合アーム１２の直ぐ隣へ移動するまでカテーテル用ハブ９０の内部空洞１０６の内部に留まる。するとすぐスプリングクリップは作動し、針先端部８４をシールドするよう針８２に取り付き、そしてカテーテル用ハブ９０から離れる。一つの実施態様において、隆起１０４は、カテーテル用ハブ９０の内部空洞１０６の内部のさらに末端部に位置決めされ、その結果示されるように準備完了状態にあるとき、隆起１０４は一つ以上の保持ウィング１１０と接触する。
【００２６】
一つの代表的な実施態様において、カテーテル用針組立て品７８と一緒に使用するためのスプリングクリップ１０８は、図１−５を参照して示されるスプリングクリップと、一つ以上の保持ウィング１１０を除いてほぼ同一である。したがって、前述されたスプリングクリップのように、示されるスプリングクリップ１０８は、第一の針係合アーム１２と、第二の針係合アーム１４と、第三の針係合アーム１６であって、各係合アームは開口部２０aと、２０ｂと、２０ｃ（示されていない）とを具備するアームを含む。任意に、コイルされたスプリング部分７６が、針にかかる押し込み力を増加するよう組み込まれると良く、それは図５を参照して前述されている。
【００２７】
カテーテル用ハブ組立て品７８は、最初にスプリングクリップ１０８を針８２全体にわたり摺動することにより組み立てられると良い。カテーテル用ハブ９０のカテーテル用チューブ９２はそのとき、針８２全体に摺動される。カテーテル用ハブの内表面９６を針ハブ８０の外表面１００と機械的に連結する直前に、スプリングクリップ１０８は、押し棒あるいはスティックあるいは同類の物体を用いて隆起１０４を超えて末端に押される。あるいは、カテーテル用ハブ９０が針ハブ８０と結合するとき、延長部が隆起１０４を越えてスプリングクリップ１０８を自動的に押すように、延長部が針ハブ８０の末端部８６上に形成されると良い。
【００２８】
図７を参照して、図６のカテーテル用針組立て品７８の端面図が、線Ｆ７−Ｆ７に沿って示される。示されるように、針クリップ１０８の保持ウィング１１０は、第一保持部分１１２と第二保持部分１１４(図６)を具備する。第一保持部分１１２は、カテーテル用ハブの内部空洞上の隆起１０４と接触するよう設定される。接触部は、一つ以上の保持ウィング１１０の第一保持部分１１２の表面が隆起１０４の側部に接触する部分である。接触は、カテーテル用ハブと針ハブが互いに離れるとき、スプリングクリップ１０８がカテーテル用ハブ９０により保持されるのを可能にし、またスプリングクリップが針ハブ８０に対し移動するのを可能にしていて、それはさらに後述される。
【００２９】
図８を参照して、図６と７のスプリングクリップ１０８の準概略的な斜視図が、コイル部分７６なしに示される。一つ以上の保持ウィング１１０を具体的に参照して、一つの代表的な実施態様において、一つ以上の保持ウィング１１０は、第二保持部分１１４と第三係合アーム１６との間に形成される第一弾性角１１６と、第二保持部分１１４と第一保持部分１１２との間に形成される第二弾性角１１８とを備える。第一と第二の弾性角１１６と、１１８は、鋭角あるいは鈍角あるいはその組合せを具備すると良い。弾性角１１６と、１１８は、一つ以上の保持ウィング１１０が二つの角度により形成される軸の周囲に曲がことを可能にする。一つ以上の保持ウィング１１０の大きさと厚みは、針ハブをカテーテル用ハブから離すよう、針ハブにかかる引張力による分離力が、隆起１０４により作用されるとき、一つ以上の保持ウィング１１０が屈曲し、曲り、撓むような寸法であり、それはさらに後述される。
【００３０】
図８に加えて図６と７を再び参照して、スプリングクリップ１０８は、カテーテル用ハブ９０に対し針ハブ８０を最初収縮することによる注入に続き、針８２の針先端部８４をブロックするよう作動されると良い。これは針ハブを隣に（図６の右側へ）移動することにより達成される。針ハブ８０がカテーテル用ハブ９０に対し隣に移動すると、隆起１０４は、スプリングクリップ１０８をカテーテル用ハブの内部空洞１０６の内部に保持するよう、一つ以上の保持ウィング１１０と相互作用する。針ハブ８０が、針先端部８４が第一係合アーム１２の隣に移動するまで、隣接して移動し続けると、スプリングクリップの接続基部２６は解放され、また針８２に対し半径方向外向きに移動する。これは順々に、アンカ構造２２から第二係合アーム１４を解放し、また第二係合アーム１４と第三係合アームとを軸方向に拡張させる。前述したように、第二係合アーム１４と第三係合アームとの軸方向の拡張は、第二と第三の係合アーム１４と、１６上に配置された開口部２０ｂと２０ｃが、スプリングクリップを針に固定するよう、針の外表面を押し込むようにさせる。
【００３１】
第二と第三の係合アーム１４と、１６の開口部２０ｂと、２０ｃが、針の外表面に対し押し込まれるとき、スプリングクリップ１０８は、押し込み力によって、図４において示されるように針８２に保持される。この時点で、針ハブ８０のさらなる隣接移動は、一つ以上の保持ウィング１１０の第一保持部分１1２を押している隆起１０４により一つ以上の保持ウィング１１０に分離力を与える。この分離力は、一つ以上の保持ウィング１１０の曲げあるいは屈曲を起す。開口部２０ｂと、２０ｃにより針の外表面に作用される押し込み力は、一つ以上の保持ウィング１１０を屈曲する力よりも大きいので、針ハブ８０の隣接移動は、隆起が一つ以上の保持ウィング１１０を過ぎて隣接に移動できるよう一つ以上の保持ウィングを十分離れて屈曲し、その結果カテーテル用ハブがスプリングクリップから離れることを可能にする。
【００３２】
本発明の好適な実施態様をいくつかの特性によって説明してきたが、ここで記述される説明と図面は範囲を定められていることを意味しない、また当業者は、実施態様が本発明の要旨から逸脱することなく記述されるよう様々な修正がなされると良く、またそのような変更と修正の全てが添付の請求項の範囲に網羅されるように意図されていることを理解するであろう。準備完了状態から作動状態への移行が成されたとき、半径方向に拡張する部分と少なくとも一つの軸方向に拡張する部分とを具備している針クリップに対する様々な変更は、本発明の精神と要旨から逸脱することなしに成されると良い。例えば、スプリングクリップの大きさは、スプリングクリップと一緒に使用される具体的な皮下注射針組立て品に従属して変更でき、また選定材料は変更でき、また角度は変更でき、またスプリングクリップは単一構造を形成する代わりに別の構成部品を組立てあるいは接合して作製できる。他の変更は、接続基部上にリベットを取り付けることによりあるいは材料を付着することにより加えられる隆起など別のアンカ構造を組み込むことと、第一アームと、第二アームと、接続基部、等々に湾曲を提供することと、作動時の付勢形態を半径方向拡張から半径方向収縮へのあるいは第二と第三アームの組合せの変更とを含む。さらに他の変更は、針先端部をシールドするよう針先端部に向かう針クリップを進めるため弾性スプリングを使用することと、カテーテル用ハブにより針先端部に向けて移動されるようカテーテル用ハブの内部にスプリングクリップを押し込むことと、カラーによりHuber針の針先端部に向けて移動されるようHuber針のカラー内部にスプリングクリップを押し込むこととを含むと良い。したがって、多くの変更と修正が、本発明の精神と要旨から逸脱することなしに当業者により実施される可能性がある。
【図面の簡単な説明】
【００３３】
【図１】図１は、本発明の態様に記載された代表的な保護用針クリップの準概略的な斜視図である。
【図２】図２は、図１の保護用針クリップの準概略的な側面図である。
【図３】図３は、皮下注射針付きの準備完了状態にある、図１の保護用針クリップの準概略的な側面である。
【図４】図４は、皮下注射針付きの作動状態にある、図１の保護用針クリップの準概略的な側面図である。
【図５】図５は、本発明の態様に記載された、皮下注射針付きの作動状態にある、選択的な保護用針クリップの準概略的な側面図である。
【図６】図６は、改良されたスプリングクリップを備えている、カテーテル用針組立て品の準概略的な断面側面図である。
【図７】図７は、図６のカテーテル用針組立て品の線Ｆ７−Ｆ７に沿った、準概略的な端面図である。
【図８】図８は、図６のスプリングクリップの準概略的な斜視図である。
【図１】
2007507288.tif 000003
【図２】
2007507288.tif 000004
【図３】
2007507288.tif 000005
【図４】
2007507288.tif 000006
【図５】
2007507288.tif 000007
【図６】
2007507288.tif 000008
【図７】
2007507288.tif 000009
【図８】
2007507288.tif 000010
【国際調査報告】
2007507288.tif 000011